(57)【要約】【課題】  光の加減によって内部を視認することができるので、購読者に興味を与えるとともに、公演後も一種の鏡として使用することのできるパンフレットを提供する。【解決手段】  少なくとも表表紙２と、この表表紙２に連設された裏表紙３とからなる冊子体を形成し、冊子体の表表紙２に所望の形状の切欠き部４を形成するとともに、この切欠き部５を、透明フィルムの片面にクロムやアルミニウム等の金属の蒸着あるいは混練させて半透明にしたシート体５で覆ってパンフレット１とする。【選択図】      図１
0003118866.tif 000002
【実用新案登録請求の範囲】
【請求項１】
少なくとも表表紙と、この表表紙に連設された裏表紙とからなる冊子体を形成し、
この冊子体の表表紙に所望の形状の切欠き部を形成するとともに、
この切欠き部を、透明フィルムにクロムやアルミニウム等の金属の蒸着あるいは混練させて半透明にしたシート体で覆ったこと
を特徴とするパンフレット。
【請求項２】
前記冊子体は、
所要の厚みを有する矩形状のシートを三つ折にし、隣接する２面を重ね合わせた状態で両面に同一形状の切欠き部を形成し、この切欠き部を有する面間に透明フィルムにクロムやアルミニウム等の金属の蒸着あるいは混練させて半透明にしたシート体を一体的に設けて表表紙とし、他の面を裏表紙としたこと
を特徴とする請求項１に記載のパンフレット。
【請求項３】
前記冊子体は、
前記切欠き部と相対する裏表紙に、公演に関する事象の図柄が印刷され、前記半透明シート体を介して内部をぼんやりと視認できるよう形成されていること
を特徴とする請求項１又は２に記載のパンフレット。
【請求項４】
前記冊子体は、
前記冊子体とほぼ同じ大きさの小冊子が、ゴム輪もしくは紐で綴り込まれていること
を特徴とする請求項１〜３のいずれかに記載のパンフレット。
【考案の詳細な説明】
【技術分野】
【０００１】
この考案は、各種発表会、映画や各種公演などで配布されるパンフレットに関するものである。
【背景技術】
【０００２】
各種発表会、映画や各種公演（以下、「公演」と称す。）において配布されるパンフレットには、その公演のストーリーの紹介や、出演者等の氏名が記載されている。
【０００３】
かかるパンフレットは、公演をより一層楽しめるようにと、様々な趣向が施されているが、平面上の紙面に文字や絵柄を印刷しただけのパンフレットであることが多く、遊び心が少ないため、公演などが終わるとすぐに飽きられて捨ててしまうことが多い。
【０００４】
そこで、冊子等の印刷物に遊び心を持たせる技術として、実用新案登録第３１１２７１１号公報（特許文献１）においては、カード体に形成した凹入部の表面にマジックミラーを張設したグリーティングカードが記載されている。
【０００５】
すなわち、この特許文献１では、グリーティングカードにおいて、カードに凹入部を設け、その凹入部に図柄を記載するとともに、前記凹入部の奥にスイッチの付いたＬＥＤ等の光源を配置し、前記凹入部を覆うようにマジックミラーを張設することで、ＬＥＤが点灯しているときは、マジックミラーを通して図柄が見え、ＬＥＤが消灯しているときは図柄が見えない、というものである。
【０００６】
また、従来から普及している鏡を印刷物に取付けたものとし、いわゆる、「仕掛け絵本」が代表例として挙げられる。この絵本は、頁表面に鏡を取付け、鏡があることを知らずに見た読者は、いきなり自分の顔が映し出されて驚く、という効果を狙ったものや、鏡の反射光を利用して複雑に作用させたものなど、様々である。その他にも、乳幼児用の鏡付き絵本も広く普及している。
【０００７】
例えば、実用新案登録第３１０９６５３号公報（特許文献２）には、光を翳すと裏面が透けて見える程度の光を透過できる２枚のシートを重ね、上面のシートの裏面に鏡文字で文字を印刷し、下面のシートの表面には図柄を印刷することによって、光を翳すと文字と絵の両方を視認できる、という印刷物が開示されている。
【特許文献１】実用新案登録第３１１２７１１号公報（実用新案登録請求の範囲）
【特許文献２】実用新案登録第３１０９６５３号公報（実用新案登録請求の範囲）
【考案の開示】
【考案が解決しようとする課題】
【０００８】
前記文献に記載のマジックミラーは、光の透過および反射の性質を巧みに利用することで、マジックミラーを介して、明るい方から暗い方は、光が反射して不可視状態となり、暗いほうから明るい方は、光が透過するので可視状態となる、ということを利用しているものである。
【０００９】
したがって、明暗の差が無ければ、利用することができず、特許文献１に記載の考案は、ランプ（ＬＥＤなど）を取付けなければ、明暗の差をつけることができないので、文字等を可視・不可視状態にスイッチングさせることはできない。また、この考案はランプのＯＮ／ＯＦＦで可視・不可視状態にするので、可視か不可視かの２段階でしかなく、見え方は連続的ではないので、趣に欠ける嫌いがある。
【００１０】
また、従来の仕掛け絵本や鏡付絵本は、鏡を取付けているにすぎないので、到って単純なもので、多機能的に楽しむことはできない。
【００１１】
また、特許文献２に記載の考案は、光に翳さすと、裏面をみることができるが、光に翳してないときは、特段の効果は得られず、マジックミラーのように、鏡として作用することもないので、面白みに欠け、パンフレットなどには適さない。
【００１２】
この考案はかかる現状に鑑み、パンフレットの表表紙部に半透明シートを貼着した切欠き部を形成し、表表紙を持ち上げる角度によって、内部の図柄や文字がより明瞭に視認できるようにすることで、購読者に興味を与えるとともに、公演後も一種の鏡として使用することのできるパンフレットを提供せんとするものである。
【課題を解決するための手段】
【００１３】
前記の目的を達成するため、この考案の請求項１にかかる考案は、
少なくとも表表紙と、この表表紙に連設された裏表紙とからなる冊子体を形成し、
この冊子体の表表紙に所望の形状の切欠き部を形成するとともに、
この切欠き部を、透明フィルムにクロムやアルミニウム等の金属の蒸着あるいは混練させて半透明にしたシート体で覆ったこと
を特徴とするパンフレットである。
【００１４】
また、この考案の請求項２に記載の考案は、
請求項１に記載のパンフレットにおいて、
前記冊子体は、
所要の厚みを有する矩形状のシートを三つ折にし、隣接する２面を重ね合わせた状態で両面に同一形状の切欠き部を形成し、この切欠き部を有する面間に透明フィルムにクロムやアルミニウム等の金属の蒸着あるいは混練させて半透明にしたシート体を一体的に設けて表表紙とし、他の面を裏表紙としたこと
を特徴とするものである。
【００１５】
また、この考案の請求項３に記載の考案は、
請求項１又は２に記載のパンフレットにおいて、
前記冊子体は、
前記切欠き部と相対する裏表紙に、公演に関する事象の図柄が印刷され、前記半透明のシート体を介して内部をぼんやりと視認できるよう形成されていること
を特徴とするものである。
【００１６】
また、この考案の請求項４に記載の考案は、
請求項１〜３のいずれかに記載のパンフレットにおいて、
前記冊子体は、
前記冊子体とほぼ同じ大きさの小冊子が、ゴム輪もしくは紐で綴り込まれていること
を特徴とするものである。
【考案の効果】
【００１７】
この考案のパンフレットによれば、表表紙を開くと、内側（図柄部）に入る光量が増加し、また、開く角度によって、光量が変化するので、半透明のシート体を通しての図柄の見え方が変化し、様々な見え方をする図柄を楽しむことができる。また、明暗差だけでなく、目の焦点をどこに合わせるかによっても、あるいはパンフレット自体の形状を変化させることによって、半透明のシート体の表面に写る図柄を変化させることができ、また、一種の鏡としても使用することができる。
【考案を実施するための最良の形態】
【００１８】
以下、この考案のパンフレットを、添付の図面を参照しながら詳細に説明するが、この考案は図示した実施例に限定されるものではなく、この考案の要旨を変更しない範囲内において種々変更を加えることが可能なものである。
【００１９】
この考案のパンフレット１は、図１に示すように、表表紙２と裏表紙３とから構成されたもので、表表紙２の所要部位に所望の形状の切欠き部４を形成し、この切欠き部４の裏面側に半透明のシート体５を一体的に貼着固定して冊子体としたものである。
【００２０】
この冊子体は、図３に示すように、厚紙もしくは厚紙よりも厚さの薄い矩形状のシートをほぼ均等の大きさになるように折り目を解して三つ折にし、隣接する２面２ａと２ｂとを重ね合わせた状態で両面に同一形状の切欠き部４を形成し、この切欠き部４を有する面２ａと２ｂとの間に、透明フィルムの片面にクロムやアルミニウム等の金属の蒸着あるいは混練させて半透明にしたシート体５を一体的に設けて表表紙２とし、他の面を裏表紙３としたものである。
【００２１】
かくして構成した冊子体の裏表紙３の内側面には、当該パンフレットの公演内容を表わす文字や図形などからなる図柄６が印刷されている。
【００２２】
前記の半透明シート体５は、透明フィルムの片面にクロムやアルミニウム等の金属の蒸着あるいは混練させて半透明にしたものであるので、冊子体を閉じた状態では、正面から見た場合には、光の加減も影響するが、半透明のシート体５に光が反射し、当該半透明のシート体５が鏡面状を呈し、周囲の事象が写ると同時に、裏面側がぼんやりと視認できる程度であるが、表表紙２を持ち上げて開き始めると、半透明のシート体５の裏面に光が照射されるので、裏側の図柄６などがより鮮明に見え始めるものである。すなわち、透明フィルムの片面にクロムやアルミニウム等の金属の蒸着あるいは混練させて半透明にしたシート体５が、いわゆるマジックミラーの役割を果たす。
【００２３】
この半透明のシート体５の大きさや形は、表表紙２ａ及びその裏面２ｂに印刷できる場所を制限するため、最もデザイン性の良い大きさや形にすることが求められる。
【００２４】
なお、前記透明フィルムの片面にクロムやアルミニウム等の金属の蒸着あるいは混練させて半透明にしたシート体５は、明るい場所から暗い場所を見ると光が反射して単なる鏡に見える。また、暗い場所から明るい場所を見ると映り込みが少ないので、向こう側が見えるもの、つまり、光の一部を透過し、一部を反射する部材（半透明）であれば制限はないが、透明フィルムの片面にクロムやアルミニウム等の金属の蒸着あるいは混練させた半透明のシート体を利用することによって安価に使用することができ、かつ全体の重量を大幅に軽減させることができる。
【００２５】
なお、前記の構成からなる冊子体は、全体が４面と非常に印刷する部分が少ないので、例えば、大きさが冊子体とほぼ同じ程度の複数ページを有する小冊子７を、互いに背表紙部を重ね合わせた状態で、ゴム輪もしくは紐（図示せず）を用いて一体化させることによって、不要となった小冊子７を冊子体から簡単かつ容易に分離させることができ、冊子体のみを装飾品として利用することができる。
なお、小冊子７を綴る場合、半透明のシート体５を介して見る図柄６は、小冊子７の先頭頁に印刷する必要がある。
【産業上の利用可能性】
【００２６】
この考案のパンフレットは、パンフレットの表紙に光の透過によって内部が明瞭に視認することのできる、透明フィルムの片面にクロムやアルミニウム等の金属の蒸着あるいは混練させて半透明にしたシート体を設けているので、各種公演用のパンフレットに利用することができる他、絵本やグリーティングカードなど各種の印刷物に利用することができる。
【図面の簡単な説明】
【００２７】
【図１】この考案にかかるパンフレットの一例を示す斜視図である。
【図２】図１に示すパンフレットの開いた状態を表す斜視図である。
【図３】図１に示すパンフレットの展開図である。
【図４】この考案にかかるパンフレットの他の例を示す斜視図である。
【符号の説明】
【００２８】
１    パンフレット
２    表表紙
３    裏表紙
４    切欠き部
５    半透明のシート体
６    図柄
７    小冊子
【図１】
0003118866.tif 000003
【図２】
0003118866.tif 000004
【図３】
0003118866.tif 000005
【図４】
0003118866.tif 000006